(57)【特許請求の範囲】
【請求項１】
シートの面内に直線状に延びる多数のストリップ反射面を隣接配置した死角確認用ミラーであって、ストリップ反射面はその延長方向が平行となるように隣接配置され、各ストリップ反射面の幅方向は前記シートの面方向に対してそれぞれ傾斜角度を有し、この傾斜角度を前記ストリップ反射面の延長方向に対して横断する方向に離間するに連れて順次変化させた構成にすることにより、前記ストリップ反射面の集合体に円筒面型の凸面鏡機能を具備させ、かつ、前記シートを前記ストリップ反射面の延長方向に対して横断する方向に平行な軸のまわりに円筒状に湾曲可能にし、構造物の曲面表面に、前記シートが前記ストリップ反射面の延長方向を前記曲面表面の周方向に沿わせて取り付けられる際に、前記凸面鏡機能を具備させるために設定する曲率半径Ｒｍが、前記曲面表面の曲率半径Ｒｐに対して、（１±０．５）×Ｒｐの範囲内に設定される死角確認用ミラー。
【請求項２】
前記傾斜角度が、前記シートの中央部からそれぞれ両外側方向に離間するに連れて順次増大する構成にした請求項１に記載の死角確認用ミラー。
【請求項３】
通行する人が互いにブラインド関係となる複数の通路が交接する領域に立設された前記構造物の曲面表面に前記シートが取り付けられる請求項１または２に記載の死角確認用ミラー。
【請求項４】
前記複数の通路が、通行路面の高さが順次上下方向に変化している通路と、通行路面の高さが水平方向に延びている通路とからなる請求項３に記載の死角確認用ミラー。
【請求項５】
前記通行路面の高さが順次上下方向に変化している通路が階段またはエスカレータであり、前記通行路面の高さが水平方向に延びている通路が鉄道駅のプラットホームである請求項４に記載の死角確認用ミラー。
【請求項６】
前記シートが透明樹脂板の裏面に前記多数のストリップ反射面が形成され、さらにこのストリップ反射面に被覆層が積層されて形成されていて、かつこのシートの厚さが０．１ｍｍ〜２．０ｍｍである請求項１〜５のいずれかに記載の死角確認用ミラー。
【発明の詳細な説明】
【技術分野】
【０００１】
本発明は、死角確認用ミラーに関し、さらに詳しくは、円柱などの曲面表面に取り付ける場合に、この曲面表面に沿って取り付け可能にするとともに、写像の縦横比の違和感を極力小さくして、死角の写像を認識し易くした死角確認用ミラーに関するものである。
【背景技術】
【０００２】
衝突防止用ミラーとしては、凸面鏡や平面状のフレネルミラーが知られている。凸面鏡は、取付具を介して取付け面から大きく突出するため、通行の邪魔にならないように高い位置に取り付けられる。そのため、身長が低い人や車椅子に乗っている人等の目線の低い人が見落とし易いという問題がある。
【０００３】
平面状のフレネルミラーは取付面に沿って面状に取り付けられるので、突出量がほとんどなく、上記した問題はない（特許文献１参照）。しかしながら、フレネルミラーを円柱などの曲面表面に取り付ける場合は、平面状のフレネルミラーは全面が曲面表面に貼り付くのではなく、大部分は曲面表面から浮き上がった状態になるので、その浮き上がった部分が通行の邪魔になる。そこで、フレネルミラーを可撓性にして、曲面表面に沿って湾曲させて全面を貼り付けるようにすれば、この問題は解決できる。ところが、従来のフレネルミラーは球面型の凸面鏡機能を有しているため、曲面表面に沿って湾曲させると、この凸面鏡機能が更に増大して、写像が曲面表面の周方向に大きく間延びしたように歪む。即ち、写像の縦横比が１：１から大きく乖離して写像が認識し難くなるという問題が生じる。
【先行技術文献】
【特許文献】
【０００４】
【特許文献１】特開２０１２−８８５６５号公報
【発明の概要】
【発明が解決しようとする課題】
【０００５】
本発明の目的は、円柱などの曲面表面に取り付ける場合に、この曲面表面に沿って取り付け可能にするとともに、写像の縦横比の違和感を極力小さくして、死角の写像を認識し易くした死角確認用ミラーを提供することにある。
【課題を解決するための手段】
【０００６】
上記目的を達成するため本発明の死角確認用ミラーは、シートの面内に直線状に延びる多数のストリップ反射面を隣接配置した死角確認用ミラーであって、ストリップ反射面はその延長方向が平行となるように隣接配置され、各ストリップ反射面の幅方向は前記シートの面方向に対してそれぞれ傾斜角度を有し、この傾斜角度を前記ストリップ反射面の延長方向に対して横断する方向に離間するに連れて順次変化させた構成にすることにより、前記ストリップ反射面の集合体に円筒面型の凸面鏡機能を具備させ、かつ、前記シートを前記ストリップ反射面の延長方向に対して横断する方向に平行な軸のまわりに円筒状に湾曲可能にし、構造物の曲面表面に、前記シートが前記ストリップ反射面の延長方向を前記曲面表面の周方向に沿わせて取り付けられる際に、前記凸面鏡機能を具備させるために設定する曲率半径Ｒｍが、前記曲面表面の曲率半径Ｒｐに対して、（１±０．５）×Ｒｐの範囲内に設定されることを特徴とする。
【発明の効果】
【０００７】
本発明の死角確認用ミラーによれば、多数のストリップ反射面をその延長方向が平行となるように隣接配置したシートが、前記ストリップ反射面の延長方向に対して横断する方向に平行な軸のまわりに円筒状に湾曲可能なので、取り付ける曲面表面に沿って湾曲させて取り付けることができる。そのため、通行の邪魔になることがない。
【０００８】
そして、各ストリップ反射面の幅方向は前記シートの面方向に対してそれぞれ傾斜角度を有し、この傾斜角度を、これらストリップ反射面の延長方向に対して横断する方向に離間するに連れて順次変化させた構成にすることにより、前記ストリップ反射面の集合体に円筒面型の凸面鏡機能を具備させているので、ストリップ反射面の延長方向に対して横断する方向のみに上記した凸面鏡機能による広角の写像が得られる。
【０００９】
一方、シートを前記ストリップ反射面の延長方向を、構造物の曲面表面の周方向に沿わせて曲面表面に取り付ければ、ストリップ反射面の延長方向には、ストリップ反射面の延長方向を構造物の曲面表面に沿わせたことによる凸面鏡機能によって広角の写像が得られる。このストリップ反射面の延長方向に対して横断する方向および延長方向それぞれの凸面鏡機能によって、写像の縦横比の違和感が小さくなるので、写像を認識し易くすることが可能になる。これにより、死角の状況が把握し易くなって安全性を向上させるには有利になる。
【図面の簡単な説明】
【００１０】
【図１】本発明の死角確認用ミラーの平面図である。
【図２】図１のＡ−Ａ断面図である。
【図３】図１のＢ−Ｂ断面図である。
【図４】図３の一部拡大図である。
【図５】円筒面型の凸面鏡機能を有する本発明のミラーの構成原理を示す説明図である。
【図６】本発明のミラーの設置例を示す説明図である。
【図７】本発明のミラーのストリップ反射面の延長方向に対して横断する方向の視野範囲を例示する説明図である。
【図８】本発明のミラーのストリップ反射面の延長方向の視野範囲を例示する説明図である。
【図９】本発明のミラーの別の設置例を示す平面図である。
【図１０】本発明のミラーとして用いるシートの範囲を例示する平面図である。
【図１１】本発明のミラーの別の設置例を示す側面図である。
【発明を実施するための形態】
【００１１】
以下、本発明の死角確認用ミラーを図に示した実施形態に基づいて説明する。
【００１２】
本発明の死角確認用ミラー１（以下、ミラー１という）は、図１〜図４に例示するように、透明樹脂板３と、反射層５と、被覆層６とが積層されて形成されたシート２を備えている。シート２の裏面には、ミラー１を構造物Ｍの曲面表面Ｓに取り付けるための取り付け部材７が設けられている。取り付け部材７としては、両面接着テープ、接着剤等の接着手段を挙げることができる。これら接着手段の代わりにネジを用いてもよい。或いは、接着手段とネジとを併用してもよい。取り付け部材７が接着手段の場合には、接着手段はシート２の裏面全体に配置しても、周辺だけであってもよい。ネジはシート２の四隅においてネジ止めするとよい。
【００１３】
平面状の透明樹脂板３の裏面には、直線状に延びる多数の傾斜溝４が平行に隣接して形成されている。傾斜溝４の上には反射層５が積層され、反射層５の上には塗料等からなる被覆層６が積層されている。取り付け部材７は、被覆層６の裏面に取り付けられている。多数の傾斜溝４と反射層５とによって、多数のストリップ反射面５ａが形成されている。これら多数のストリップ反射面５ａはシート２の面内に直線状に延びて平行に隣接配置されている。図１〜図３では、ストリップ反射面５ａの延長方向を矢印Ｌで示し、ストリップ反射面５ａの幅方向（延長方向に対して横断する方向）を矢印Ｗで示している。
【００１４】
図３に示すように、ストリップ反射面５ａの延長方向を横切る方向（矢印Ｗ方向）の断面では、ストリップ反射面５ａの幅方向がそれぞれシート２の面方向に対してなす傾斜角度Ａが、シート中央部の中心線ＣＬに位置するストリップ反射面５ａの傾斜角度Ａを０度として、そこから両外側方向に離間する位置のストリップ反射面５ａほど左右対称に順次増大している。このように傾斜角度Ａが順次変化することにより、多数のストリップ反射面５ａの集合体が凸面鏡と同等の反射機能を奏する。一方、図２に示すように、ストリップ反射面５ａの延長方向（矢印Ｌ方向）では、ストリップ反射面５ａがシート２と平行に直線状に延長しているので、凸面鏡の反射機能は奏しない。すなわち、上記構成の本発明のミラー１は、円筒面型の凸面鏡と同等の反射機能を具備し、ストリップ反射面５ａを横断する矢印Ｗ方向にだけに凸面鏡の反射機能を有する変則的なフレネルミラーになっている。
【００１５】
本発明のミラー１が曲率半径Ｒｍの円筒型の凸面鏡機能を具備する原理について、図５を用いて説明する。図５（Ａ）はミラー１内の透明樹脂板３だけを示した断面図、図５（Ｂ）は円筒面型の凸面鏡を円筒軸に直交する断面で示した断面図である。図５（Ｂ）に示すように、曲率半径Ｒｍの円筒面型の凸面鏡１２を周方向に分断し、多数の平面状細幅のストリップ片にする。そして、分断したストリップ片を図５（Ａ）に例示するように、それぞれ傾斜角度Ａ１、Ａ２、Ａ３、Ａ４、・・・をそのまま維持した状態で平面状に並び変える。図５（Ａ）は、平面状の透明樹脂板３の裏面に、紙面奥行方向に延びる多数の傾斜溝４が平行に隣接して形成され、その上に反射層５が積層された状態を示している。これにより、紙面奥行方向に延びる多数のストリップ反射面５ａが形成され、これら多数のストリップ反射面５ａの集合体が円筒面型の凸面鏡機能を発揮する。
【００１６】
ミラー１の本体を構成するシート２の厚さとしては、０．０１ｍｍ〜２．０ｍｍ、好ましくは０．０１ｍｍ〜１．０ｍｍ、さらに好ましくは０．０１〜０．８ｍｍが適用される。特にシート２の厚さの上限を、１．０ｍｍ以下、さらに好ましくは０．８ｍｍ以下にすると、ミラー１を可撓性にすることができる。可撓性のミラー１は、円柱などへ取り付け作業において、手作業だけで湾曲させることができるので取り付け作業を容易にすることができる。シート２の厚さが２．０ｍｍ又はそれに近い場合には、ミラー１に可撓性がないため手作業だけで湾曲させることが難しく、予め取り付け前に特別の湾曲加工を施す必要がある。ミラー１の形状は、図１に例示するように平面視で四角形が好ましいが、三角形、円形、楕円形、台形等の種々の形状を採用することができる。
【００１７】
ストリップ反射面５ａの幅ｄとしては、０．０１ｍｍ〜１．０ｍｍ、好ましくは０．０１ｍｍ〜０．５ｍｍが適用される。透明樹脂板３には、ポリカーボネート樹脂（ＰＣ）、アクリル樹脂（ＰＭＭＡ）、ポリエチレン樹脂（ＰＥ）、ポリエチレンテレフタレート（ＰＥＴ）等が用いられる。
【００１８】
反射層５は、例えば、透明樹脂板３側からアルミニウム層を積層して形成される。反射層５としては、金属蒸着膜や金属メッキ膜等を用いることができる。反射層５の厚さは、例えば１０ｎｍ〜２００ｎｍ程度である。
【００１９】
上述したように変則的フレネルミラーからなる本発明のミラー１は、互いにブラインド関係にある複数の通路が交接する領域において、その領域に立設された円柱などの構造物Ｍに、通行人同士の衝突防止用の死角確認用ミラーとして取り付けられる。図６は、本発明のミラー１が、鉄道駅のプラットホーム上の通路１０と階段１１の上端とが交接する領域において、その領域に立設された円柱Ｍ上の曲面表面Ｓに取り付けられた実施形態を示す。このミラー１は、円柱Ｍに対する取り付け高さが通行人９ａ、９ｂの身長の高さ範囲内に設定され、かつストリップ反射面５ａの横断方向（矢印Ｗ方向）を円柱Ｍの上下方向（軸方向）に向けるとともに、ストリップ反射面５ａの延長方向（矢印Ｌ方向）を円柱Ｍの円弧状の曲面表面Ｓに沿って湾曲させて取り付けられている。
【００２０】
このように本発明のミラー１が円柱Ｍに取り付けられたことにより、互いにブラインド関係にある通行人９ａ、９ｂがミラー１を通して目視可能な写像の視野は、ミラー１の縦方向（上下方向）には、ミラー１がストリップ反射面５ａの横断方向（矢印Ｗ方向）だけに奏する凸面鏡機能により、図７に示すような広角の視野Ｃ１が得られる。また、ミラー１の横方向（左右方向）には、ストリップ反射面５ａの延長方向が円柱Ｍの曲面表面Ｓに沿って湾曲させられて生じた凸面鏡機能により、図８に示すような広角の視野Ｃ２が得られる。
【００２１】
上述のように取り付けられたミラー１で目視される写像の縦横比は、縦方向はミラー自体に設定された曲率半径Ｒｍの凸面鏡機能により、また横方向は円柱Ｍに設定された曲率半径Ｒｐの凸面鏡機能により、いずれも単独設定された曲率半径で決められているので、写像の縦横比の違和感は極力小さく、写像を認識しやすくする。これに対して、球面型凸面鏡の反射機能を具備する従来のフレネルミラーでは、本発明と同様の取り付け方で円柱に取り付けると、曲面表面Ｓの周方向の鏡面がミラー自身の曲率半径Ｒｍに加えて、曲面表面Ｓの曲率半径Ｒｐが加算されるため、写像が周方向に大きく間延びしたように歪み、写像の認識が難しくなるという問題がある。
【００２２】
また、本発明のミラー１は、円柱などの構造物の曲面表面Ｓに沿うように取り付けられることにより、通行障害になるような飛び出しがないため、通行人の身長の高さ範囲内に設置することができる。したがって、身長の低い人や車椅子の人にも容易に目線が届くようにすることができ、衝突防止の安全性を向上することができる。
【００２３】
図６では、複数の通路が交接する領域に立設された構造物Ｍとして、平坦な通路１０と階段１１とが交接する領域に立設された円柱Ｍを例示しているが、ミラー１が取り付けられる構造物Ｍは、このような場所に立設されたものに限らない。例えば、階段１１と階段１１とが交接する領域に立設された構造物Ｍの曲面表面Ｓにミラー１を取り付けることもできる。また、通行路面の高さが順次上下方向に変化している通路としては、階段１１に限らず、エスカレータも例示できる。
【００２４】
或いは、図９に例示するように、平坦な通路１０と平坦な通路１０とが交接する領域に立設された円柱等の構造物Ｍの曲面表面Ｓにミラー１を取り付けることもできる。通行人９ａ、９ｂは、仕切り８によって互いを直接目視できない。そこで、仕切り８の前方に位置する円柱Ｍの曲面表面Ｓに取り付けられたミラー１に写った相手の写像を目視する。これにより、縦横比に違和感のない写像によって、相手の状況を正確に把握して、通行人９ａ、９ｂどうしの衝突を回避できる。
【００２５】
ミラー１を取り付ける構造物Ｍとしては、地下鉄や鉄道の駅構内、駅ホーム、商業施設内、公共施設内、地下通路内、その他、建物内において通行人９ａ、９ｂ等の死角を低減することが望まれる場所の柱部材や壁部材等を例示できる。また、円柱Ｍの曲面表面Ｓだけでなく、断面半円形等の構造物Ｍの曲面表面Ｓにミラー１を取り付けることもできる。ミラー１は屋内だけでなく屋外の構造物Ｍに取り付けることもできる。
【００２６】
本発明では、多数のストリップ反射面５ａの集合体に円筒面型の凸面鏡機能を具備させるために設定する凸面鏡の曲率半径Ｒｍを、構造物Ｍの曲面表面Ｓの曲率半径Ｒｐに対して、（１±０．５）×Ｒｐの範囲内に設定する。即ち、ストリップ反射面５ａの延長方向に対して横断する方向および延長方向それぞれに凸面鏡機能を発揮させるように設定する凸面鏡の曲率半径ＲｍとＲｐとを近づけるようにする。例えば、それぞれの傾斜角度Ａの大きさを調整することにより、曲率半径Ｒｍを変化させて目標値に設定する。曲率半径Ｒｐの大きさは特に限定されないが、例えば１００ｍｍ〜８００ｍｍ程度、或いは、３００ｍｍ〜６００ｍｍ程度である。
【００２７】
曲率半径Ｒｍを曲率半径Ｒｐと同じに設定してミラー１の写像の縦横比を１：１にすると、実際に目視した場合と違和感がほとんどないように死角の状況を把握できる。曲率半径Ｒｍを曲率半径Ｒｐに対して、（１±０．５）×Ｒｐの範囲内、より好ましくは（１±０．３）×Ｒｐの範囲内、さらに好ましくは（１±０．１）×Ｒｐの範囲内に設定すれば、ミラー１の写像は、縦横比が違和感のない適切な範囲になって写像が認識し易くなる。
【００２８】
本発明は、傾斜角度Ａが、シート２の中央部から両外側方向に離間するに連れて順次増大する仕様に限定されるものではない。図１０に例示する破線の範囲Ｂ１、Ｂ２のように、シート２の中心線ＣＬに対してストリップ反射面５ａの延長方向に対して横断する方向一方側に偏った部分を採用することもできる。
【００２９】
即ち、ストリップ反射面５ａの幅方向がそれぞれシート２の面方向に対してなす傾斜角度Ａを、これらストリップ反射面５ａの延長方向に対して横断する方向に離間するに連れて順次変化させた構成にすればよい。この構成により、ストリップ反射面５ａの延長方向に対して横断する方向のみに上記した円筒面型の凸面鏡機能による広角の視野Ｃ１が得られる。一方、ストリップ反射面５ａの延長方向には、ストリップ反射面５ａの延長方向を曲面表面Ｓに沿わせたことによる凸面鏡機能によって広角の視野Ｃ２が得られる。そのため、ミラー１の写像の縦横比の違和感が小さくなるので、写像を認識し易くなる。
【００３０】
例えば図１１に示すように、シート２の中心線ＣＬに対して下方側（ストリップ反射面５ａの延長方向に対して横断する方向一方側）に偏った部分をミラー１として用いる場合は、円筒面型の凸面鏡機能による視野Ｃ１の範囲は、中心線ＣＬに対して下方に偏った範囲になる。図６に例示した場所では、それぞれの通行人９ａ、９ｂは、通常、ミラー１の上方側に偏った範囲の視野Ｃ１は必要がない。そのため、このような場所では図１１に例示するようなミラー１を用いるとよい。このようにして、必要な視野Ｃ１の範囲に応じて、中心線ＣＬに対してシート２の上下方向どの程度の範囲をミラー１として採用するのかを決定することが好ましい。
【符号の説明】
【００３１】
１  死角確認用ミラー
２  シート
３  透明樹脂板
４  傾斜溝
５  反射層
５ａ  ストリップ反射面
６  被覆層
７  取り付け部材
８  仕切り
９ａ、９ｂ  通行人
１０  平坦な通路
１１  階段
１２  円筒面型の凸面鏡
Ａ（Ａ１、Ａ２、Ａ３、Ａ４）  傾斜角度
Ｍ  構造物（円柱）
Ｓ  曲面表面
【図１】
0005632565.tif 000002
【図２】
0005632565.tif 000003
【図３】
0005632565.tif 000004
【図４】
0005632565.tif 000005
【図５】
0005632565.tif 000006
【図６】
0005632565.tif 000007
【図７】
0005632565.tif 000008
【図８】
0005632565.tif 000009
【図９】
0005632565.tif 000010
【図１０】
0005632565.tif 000011
【図１１】
0005632565.tif 000012